(57)【特許請求の範囲】
【請求項１】
複数の支持脚を有するソーラーパネル取付架台を地上に設置する際に、少なくとも下端側が土の中に埋められる柱状の杭本体と、前記杭本体の下端に当該杭本体の径方向に張り出した状態で設けられ、前記杭本体の下端側を土の中に埋めたときに当該土の重量を受けて前記杭本体の引き抜きを抑制する非スパイラル形状の張り出し部と、を備える杭を、前記支持脚として使用する、ソーラーパネル取付架台の設置方法であって、
前記ソーラーパネル取付架台の設置場所の土を掘ることにより、元の地面よりも深い位置に前記複数の杭を据え付ける予定の据え付け予定面を形成する第１工程と、
杭据え付け用の構造体を用いて、前記複数の杭をあらかじめ規定されている位置関係となるように相対的に位置合わせした状態で前記構造体に固定することにより、前記複数の杭を前記構造体で一体的に支持するとともに、この支持状態を維持しながら前記構造体と一体に前記複数の杭を前記ソーラーパネル取付架台の設置場所まで移送し、当該設置場所において前記複数の杭の下端に設けてある前記張り出し部をそれぞれに対応する前記据え付け予定面に接地させた後、前記構造体で前記複数の杭を一体的に支持した状態のまま土を埋め戻すことにより、当該設置場所に前記複数の杭を据え付ける第２工程と、
前記複数の杭から前記構造体を取り去る第３工程と、
前記複数の杭を用いて前記ソーラーパネル取付架台の骨組みとなる部材を組み付ける第４工程と、
を含むことを特徴とするソーラーパネル取付架台の設置方法。
【請求項２】
前記第２工程においては、前記複数の杭を支持する前記構造体をクレーンで吊り上げて前記ソーラーパネル取付架台の設置場所まで移送する
ことを特徴とする請求項１に記載のソーラーパネル取付架台の設置方法。
【請求項３】
前記構造体は、それぞれ前記杭を着脱自在とする切り欠き部を有し、且つ、該切り欠き部の開放側がすべて同じ方向を向いて配置された複数の連結金具を備え、
前記第３工程においては、前記複数の杭から前記構造体を取り去る際に、前記連結金具の前記切り欠き部が開放している側と反対側に前記構造体を移動させる
ことを特徴とする請求項１または２に記載のソーラーパネル取付架台の設置方法。
【請求項４】
前記第４工程においては、ソーラーパネルを斜めに支持するために三角形に形成されるとともに、構造的に一体化されたパネル支持台を、ソーラーパネル取付架台の短手方向で隣り合う２つの杭に取り付けた後、ソーラーパネル取付架台の長手方向に並ぶ複数の前記パネル支持台を連結するように、前記パネル支持台上にビーム材を取り付ける
ことを特徴とする請求項１〜３のいずれかに記載のソーラーパネル取付架台の設置方法。
【請求項５】
前記杭の張り出し部は、前記杭本体の外径よりも大きな外形寸法を有する平らな板状に形成されている
ことを特徴とする請求項１〜４のいずれかに記載のソーラーパネル取付架台の設置方法。
【発明の詳細な説明】
【技術分野】
【０００１】
本発明は、太陽光によって発電する太陽光発電パネル（以下「ソーラーパネル」という。）を取り付けるためのソーラーパネル取付架台の設置方法と、これに用いて好適な杭と、この杭を用いたソーラーパネル取付架台に関する。
【背景技術】
【０００２】
近年、地球温暖化防止を目的として、メガソーラーに代表される太陽光発電所の建設が進められている。このような太陽光発電所においては、ソーラーパネル取付架台を地上（地盤上）に多数設置し、各々のソーラーパネル取付架台に複数のソーラーパネルを取り付けるのが一般的である。
【０００３】
ソーラーパネル取付架台としては、たとえば、コンクリートの基礎を土台に用いたものがある。ただし、コンクリートの基礎を土台にするとなると、ソーラーパネル取付架台の設置にかかるコストや労力が多大になる。
【０００４】
そこで従来においては、コンクリートの基礎を使用しないものとして、たとえば、特許文献１に記載の技術が知られている。この従来技術では、ソーラーパネル取付架台の支持脚の下端に張り出し部を設けるとともに、この張り出し部に杭打ち用の穴を形成し、この穴を通して杭を地面に打ち込むことにより、支持脚を地面に固定している。
【先行技術文献】
【特許文献】
【０００５】
【特許文献１】特開２００３−６９０６２号公報
【発明の概要】
【発明が解決しようとする課題】
【０００６】
しかしながら、上記従来技術には以下のような問題がある。
すなわち、ソーラーパネル取付架台を地上に設置する場合、その設置場所は、必ずしもソーラーパネル取付架台の設置に適した土地であるとは限らない。このため、たとえば設置場所の地盤の状態等によっては、杭の打ち込みが困難な場合がある。具体的には、砂が主体の土地に杭を打ち込む場合は、その打ち込みの途中で砂が突き固められるため、杭を深く打ち込むことが困難になる。本発明者による施工試験では、地盤が砂で地盤の硬さを示すＮ値が１０以上の場所になると、既存の杭では５０ｃｍしか打ち込めないことが分かった。杭の打ち込みが浅いと、ソーラーパネルに風圧が加わって揚力が発生したときに、杭が抜けやすくなってしまう。また、杭のタイプとしては、杭の下端側にスパイラル形状部を形成し、このスパイラル形状部を利用して杭をねじ込むように打ち込むタイプも知られている。ただし、このタイプの杭（以下「スパイラル杭」という。）は、杭自体のコストが非常に高くなる。また、スパイラル杭を現場で何本も打ち込むとなると、相当の手間がかかる。このため、ソーラーパネル取付架台の材料コストや施工コストがかさみ、トータルコストが膨大なものになってしまう。
【０００７】
本発明の主な目的は、ソーラーパネル取付架台の設置にかかるコストと労力を大幅に低減することができるソーラーパネル取付架台の設置方法とこれに用いて好適な杭を提供することにある。
【課題を解決するための手段】
【０００８】
一般に、土木工事に用いられる杭は、地面に打ち込んで（スパイラル杭の場合はねじ込んで）使用するのが常識になっている。本発明者は、この常識にとらわれることなく、柔軟な思考によって発想の転換を図り、本発明を想到するに至った。すなわち、「杭は地面に打ち込むものである」という常識を覆し、杭を打ち込むのではなく、杭を置くという、いわば「置き杭」という着想を思い付いた。ただし、単に杭を地面に置いただけでは、ソーラーパネル取付架台の支持脚として用いる場合に、風圧による揚力に対抗できない。
【０００９】
その一方で、ソーラーパネル取付架台に取り付けられるソーラーパネルの多くは、一人または数人の作業者が手作業で持ち上げられる程度の重量しかない。このため、たとえば、１つのソーラーパネル取付架台に複数枚のソーラーパネルを取り付けたとしても、ソーラーパネル取付架台に加わる荷重はそれほど大きくはない。
【００１０】
このような事情を鑑みて、本発明者は、ソーラーパネル取付架台に求められる特性は、ソーラーパネルの重量を支える機械的な強度よりも、むしろ、ソーラーパネルに風圧が加わって揚力が発生した場合に、いかにしてソーラーパネル取付架台を固定状態（動かないよう）に維持するか、にあるとの認識から、特に、支持脚に用いる杭に着目し、本発明を想到するに至ったものである。以下、本発明の好ましい態様を記述する。
【００１１】
本発明の第１の態様は、
複数の支持脚を有するソーラーパネル取付架台を地上に設置する際に、少なくとも下端側が土の中に埋められる柱状の杭本体と、前記杭本体の下端に当該杭本体の径方向に張り出した状態で設けられ、前記杭本体の下端側を土の中に埋めたときに当該土の重量を受けて前記杭本体の引き抜きを抑制する非スパイラル形状の張り出し部と、を備える杭を、前記支持脚として使用する、ソーラーパネル取付架台の設置方法であって、
前記ソーラーパネル取付架台の設置場所の土を掘ることにより、元の地面よりも深い位置に前記複数の杭を据え付ける予定の据え付け予定面を形成する第１工程と、
杭据え付け用の構造体を用いて、前記複数の杭を相対的に位置合わせした状態で支持するとともに、この支持状態を維持しながら前記構造体と一体に前記複数の杭を前記ソーラーパネル取付架台の設置場所まで移送し、当該設置場所において前記複数の杭の下端に設けてある前記張り出し部をそれぞれに対応する前記据え付け予定面に接地させた後、土を埋め戻すことにより、当該設置場所に前記複数の杭を据え付ける第２工程と、
前記複数の杭から前記構造体を取り去る第３工程と、
前記複数の杭を用いて前記ソーラーパネル取付架台の骨組みとなる部材を組み付ける第４工程と、
を含むことを特徴とするソーラーパネル取付架台の設置方法である。
【００１２】
本発明の第２の態様は、
前記第２工程においては、前記複数の杭を支持する前記構造体をクレーンで吊り上げて前記ソーラーパネル取付架台の設置場所まで移送する
ことを特徴とする上記第１の態様に記載のソーラーパネル取付架台の設置方法である。
【００１３】
本発明の第３の態様は、
複数の支持脚を有するソーラーパネル取付架台を設置する際に、前記支持脚として用いられる杭であって、
柱状の杭本体と、
前記杭本体の下端に当該杭本体の径方向に張り出した状態で設けられた非スパイラル形状の張り出し部と、
を備え、
前記杭本体は、前記ソーラーパネル取付架台の設定に際して、少なくとも当該杭本体の下端側が土の中に埋められるものであり、
前記張り出し部は、前記杭本体の下端側を土の中に埋めたときに、この土の重量を受けて前記杭本体の引き抜きを抑制するものである
ことを特徴とする杭である。
【００１４】
本発明の第４の態様は、
前記張り出し部は、前記杭本体の外径よりも大きな外形寸法を有する板状に形成されている
ことを特徴とする上記第３の態様に記載の杭である。
【００１５】
本発明の第５の態様は、
前記杭本体の上端に、前記ソーラーパネル取付架台の骨組みとなる部材を組み付けるための連結部が設けられている
ことを特徴とする上記第３または第４の態様に記載の杭である。
【００１６】
本発明の第６の態様は、
複数の支持脚を有するソーラーパネル取付架台であって、
少なくとも下端側が土の中に埋められる柱状の杭本体と、前記杭本体の下端に当該杭本体の径方向に張り出した状態で設けられ、前記杭本体の下端側を土の中に埋めたときに当該土の重量を受けて前記杭本体の引き抜きを抑制する非スパイラル形状の張り出し部と、を備える杭を、前記支持脚として用いた
ことを特徴とするソーラーパネル取付架台である。
【発明の効果】
【００１７】
本発明によれば、ソーラーパネル取付架台の設置にかかるコストと労力を大幅に低減することができる。
【図面の簡単な説明】
【００１８】
【図１】本発明の実施の形態に係る杭の構成例を示す図である。
【図２】図１のＡ−Ａ矢視断面図である。
【図３】図１のＢ−Ｂ矢視断面図である。
【図４】本発明の実施の形態に係るソーラーパネル取付架台の構成例を示す正面図である。
【図５】本発明の実施の形態に係るソーラーパネル取付架台の構成例を示す平面図である。
【図６】本発明の実施の形態に係るソーラーパネル取付架台の構成例を示す側面図である。
【図７】パネル支持台（三角架台）の拡大図である。
【図８】本発明の実施の形態に係る杭据え付け用の構造体の構成例を示す正面図である。
【図９】本発明の実施の形態に係る杭据え付け用の構造体の構成例を示す平面図である。
【図１０】本発明の実施の形態に係る杭据え付け用の構造体の構成例を示す側面図である。
【図１１】連結金具の構成を説明する図である。
【図１２】本発明の実施の形態に係るソーラーパネル取付架台の設置方法を説明する図（その１）である。
【図１３】本発明の実施の形態に係るソーラーパネル取付架台の設置方法を説明する図（その２）である。
【図１４】本発明の実施の形態に係るソーラーパネル取付架台の設置方法を説明する図（その３）である。
【図１５】本発明の実施の形態に係るソーラーパネル取付架台の設置方法を説明する図（その４）である。
【図１６】本発明の実施の形態に係るソーラーパネル取付架台の設置方法を説明する図（その５）である。
【図１７】本発明の実施の形態に係るソーラーパネル取付架台の設置方法を説明する図（その６）である。
【図１８】本発明の実施の形態に係るソーラーパネル取付架台の設置方法を説明する図（その７）である。
【図１９】本発明の実施の形態に係るソーラーパネル取付架台の設置方法を説明する図（その８）である。
【図２０】本発明の実施の形態に係るソーラーパネル取付架台の設置方法を説明する図（その９）である。
【図２１】本発明の実施の形態に係るソーラーパネル取付架台の設置方法を説明する図（その１０）である。
【図２２】本発明の実施の形態に係るソーラーパネル取付架台の設置方法を説明する図（その１１）である。
【図２３】本発明の実施の形態に係るソーラーパネル取付架台の設置方法を説明する図（その１２）である。
【図２４】ソーラーパネル取付架台にソーラーパネルを取り付けた状態を示す正面図である。
【図２５】ソーラーパネル取付架台にソーラーパネルを取り付けた状態を示す側面図である。
【図２６】各々の部材をボルトとナットで固定する場合の具体的な構造例を示す図である。
【図２７】起伏のある土地に打ち込みタイプの杭を据え付ける場合の不具合を説明する図である。
【図２８】起伏のある土地に本実施の形態に係る杭を据え付ける場合の優位性を説明する図である。
【発明を実施するための形態】
【００１９】
以下、本発明の実施の形態について図面を参照しつつ詳細に説明する。
本発明の実施の形態においては、次の順序で説明する。
１．本発明の実施の形態に係る杭の構成
２．本発明の実施の形態に係るソーラーパネル取付架台の構成
３．本発明の実施の形態に係る杭据え付け用の構造体の構成
４．本発明の実施の形態に係るソーラーパネル取付架台の設置方法
５．本発明の実施の形態の効果
６．変形例等
７．本発明の他の好ましい態様
【００２０】
＜１．本発明の実施の形態に係る杭の構成＞
図１は本発明の実施の形態に係る杭の構成例を示す図である。また、図２は図１のＡ−Ａ矢視断面図であり、図３は図１のＢ−Ｂ矢視断面図である。
図示した杭１は、大きくは、杭本体２と、張り出し部３と、連結部４と、を備えている。
【００２１】
杭本体２は、全体に柱状に形成されている。杭本体２の断面は円形になっている。杭本体２は、たとえば、ストレートの鋼管（単管など）を用いて構成することが可能である。杭本体２の長さは、地中（土の中）に埋める部分の長さと、地上に突出させる部分の長さとを考慮して、たとえば、２ｍ以上、４ｍ以下の範囲内に設定される。杭本体２の外径は、杭本体２に加わる荷重を考慮して、たとえば、４０ｍｍ以上、６０ｍｍ以下の範囲内に設定される。
【００２２】
張り出し部３は、杭本体２の長さ方向において、杭本体２の下端に設けられている。杭本体２の下端は、杭１を地面に据え付けるときに下向きに配置される方の端である。張り出し部３は、杭本体２の径方向に張り出した状態で設けられている。張り出し部３は、杭本体２の外径よりも大きな外形寸法を有している。張り出し部３は、非スパイラル形状に形成されている。本形態例では、非スパイラル形状の一例として、張り出し部３が平らな板状に形成されている。
【００２３】
杭本体２の下端部に、このような板状の張り出し部３を設けたことは、杭１を据え付けるにあたって、杭１を地面に打ち込んだりねじ込んだりするものではないことを示唆している。この点は、これまで知られている杭とは根本的に異なる。すなわち、通常は、杭の下端を円錐形に細く形成して杭を打ち込みやすくするか、杭の先端側にスパイラル形状部を設けて杭を地面にねじ込むようにするが、本実施の形態においては、杭の打ち込みやねじ込みを阻害する形状の張り出し部３を杭本体２の下端に設けている。張り出し部３は、たとえば、四角形の鋼板を用いて構成することが可能である。上述した杭本体２は、杭１の中心軸方向から見て、張り出し部３の中央部に配置されている。張り出し部３は、たとえば、杭本体２の下端に溶接等によって固定されている。張り出し部３の両面３ａ，３ｂのうち、一方の面３ａは、杭１を据え付けるときに上向きに配置され、他方の面３ｂは下向きに配置される。張り出し部３の一方の面（以下「上面」ともいう。）３ａは、後述する土の埋め戻しに際して、土の重量（荷重圧力）を受ける面となり、他方の面（以下「下面」ともいう。）３ｂは、後述する据え付け予定面に接地（接触）する面となる。
【００２４】
連結部４は、杭本体２の長さ方向において、杭本体２の上端に設けられている。杭本体２の上端は、杭１を据え付けるときに上向きに配置される方の端である。連結部４は、ソーラーパネル取付架台の骨組みとなる部材（後述）を杭１に組み付けるために設けられたものである。連結部４は、上述した張り出し部３と同様に、四角形の鋼板を溶接等によって杭本体２の上端に固定することにより設けられる。連結部４は、杭本体２を介して張り出し部３と対向する状態に配置されている。また、杭本体２の両端において、連結部４と張り出し部３は、互いに平行に配置されている。連結部４は、張り出し部３と同様に、杭本体２の径方向に張り出した状態で設けられている。連結部４の張り出し部分には４つの貫通穴４ａが設けられている。貫通穴４ａは、連結部４の角部に１つずつ設けられている。連結部４の外形寸法は、張り出し部３の外形寸法よりも小さく設定されている。一例として、張り出し部３および連結部４をそれぞれ正方形の平板で構成する場合、連結部４の外形寸法は、一辺の長さがたとえば１５０ｍｍ以上、２００ｍｍ以下の範囲内に設定され、張り出し部３の外形寸法は、一辺の長さがたとえば３００ｍｍ以上、６００ｍｍ以下の範囲内に設定される。また、張り出し部３および連結部４の各々の厚み（板厚）寸法は、たとえば、４ｍｍ、８ｍｍ以下の範囲内に設定される。杭１の表面には溶融亜鉛メッキなどの防錆処理が施されている。
【００２５】
＜２．本発明の実施の形態に係るソーラーパネル取付架台の構成＞
図４は本発明の実施の形態に係るソーラーパネル取付架台の構成例を示す正面図であり、図５は同平面図、図６は同側面図である。なお、図４および図６における下向きの三角印は、ソーラーパネル取付架台１０の設置場所で想定される地面の位置を示している。
【００２６】
図示したソーラーパネル取付架台１０は、大きくは、当該取付架台の基礎となる部材として、複数の支持脚１１を備えるとともに、当該取付架台の骨組みとなる部材として、複数のパネル支持台１２と、複数のビーム材１３と、複数のブレース材１４，１５，１６と、複数のパネル受け材１７と、を備えている。ここでは一例として、６つの支持脚１１と、３つのパネル支持台１２と、２つのビーム材１３と、３つのブレース材１４，１５，１６と、１２個のパネル受け材１７とを用いて、１つのソーラーパネル取付架台１０が構成されている。ただし、各部材の数や寸法、配置等は、１つのソーラーパネル取付架台１０に取り付けられるソーラーパネルの数や外形寸法によって適宜変更が可能である。各部材の表面には防錆処理（たとえば、鋼材であれば、溶融亜鉛メッキ処理など）が施されている。
【００２７】
支持脚１１は、ソーラーパネル取付架台１０の基礎となる土台を構成するものである。支持脚１１は、上述した杭１を用いて構成されている。すなわち、支持脚１１は、上述した杭本体２、張り出し部３および連結部４を一体に備えている。ソーラーパネル取付架台１０を設置する場合は、各々の支持脚１１の下端側が土の中に埋められた状態となる。
【００２８】
パネル支持台１２は、ソーラーパネルを斜めに支持するための三角形の架台（三角架台）である。パネル支持台１２は、上述した支持脚１１の上に取り付けられる。ソーラーパネル取付架台１０を用いてソーラーパネルを地上に設置する場合、ソーラーパネルは、鉛直面に直交する水平面（以下「水平面」という。）に対して、所定の角度（たとえば、３０度前後）で傾いた状態でソーラーパネル取付架台１０に取り付けられる。このため、パネル支持台１２は、ソーラーパネルの設置角度に応じた斜辺を有する直角三角形に形成されている。パネル支持台１２は、直角三角形を形成する３つの部材を用いて構成されている。本実施の形態においては、好ましい１つの例として、図７にも示すように、３つの部材をそれぞれ鋼材（たとえば、溝型鋼）１２ａ，１２ｂ，１２ｃで構成するとともに、これらの鋼材１２ａ，１２ｂ，１２ｃをあらかじめ溶接等により相互に固定することにより、構造的に一体化したパネル支持台１２を用いることとした。
【００２９】
３つの鋼材１２ａ，１２ｂ，１２ｃのうち、鋼材１２ａは、直角三角形の底辺を形成し、鋼材１２ｂは、直角三角形の縦辺を形成し、鋼材１２ｃは、直角三角形の斜辺を形成する。ここで記述する「底辺」とは、上述した支持脚１１の上にパネル支持台１２を取り付けた状態で水平に配置される辺をいい、「縦辺」とは、支持脚１１の上にパネル支持台１２を取り付けた状態で垂直（鉛直）に配置される辺をいう。また、「斜辺」とは、数学上の定義と同様に「直角の対辺」であって、支持脚１１の上にパネル支持台１２を取り付けた状態で斜めに配置される辺をいう。鋼材１２ｃの低位側の端部は、鋼材１２ａの端部よりも斜め下方に延在するように突出している。鋼材１２ｃの高位側の端部は、鋼材１２ｂの上端部よりも斜め上方に延在するように突出している。
【００３０】
鋼材１２ａの一端部には取付板１８が設けられ、その反対側の他端部にも取付板１８が設けられている。各々の取付板１８は、ソーラーパネル取付架台１０の短手方向で隣り合う２つの支持脚１１の上にパネル支持台１２を取り付けるために用いられる。２つの取付板１８は、鋼材１２ａの長さ方向に所定の距離（ソーラーパネル取付架台１０の短手方向で隣り合う２つの杭１の離間距離と同じ距離）を隔てて配置されている。取付板１８は、上述した連結部４の形状および外形寸法に適合する平らな鋼板を用いて構成されている。取付板１８と連結部４を同じ外形寸法の板状部材で構成した場合は、杭１の上にパネル支持台１２を取り付ける場合に、それらの位置合わせが容易になるため都合がよい。取付板１８には、連結部４と同様の位置関係で４つの貫通穴が設けられている。このため、上述した連結部４の上に取付板１８を重ねて載せた場合は、互いに対応する貫通穴同士が同心状（理想状態）に配置される。鋼材１２ａの一端側では、鋼材１２ａの下面に溶接等によって取付板１８が固定されている。また、鋼材１２ａの他端側では、鋼材１２ａの下面と鋼材１２ｂの下端に溶接等によって取付板１８が固定されている。また、鋼材１２ｂにはブレース材１４，１５を取り付けるための貫通穴（不図示）が設けられ、鋼材１２ｃには、ビーム材１３を取り付けるための貫通穴（不図示）が設けられている。
【００３１】
ビーム材１３は、３つのパネル支持台１２を連結するように取り付けられている。ビーム材１３は、たとえば、長尺状の鋼材（たとえば、リップ溝型鋼）を用いて構成することが可能である。ビーム材１３の両端部は、それぞれパネル支持台１２よりも外側（ソーラーパネル取付架台１０の側方）に突出する状態で配置されている。各々のビーム材１３は、ソーラーパネル取付架台１０の長手方向に沿って互いに平行に配置されている。一方のビーム材１３は、パネル支持台１２の鋼材１２ｃの高位側の端部に、ボルトとナットを用いて固定されている。他方のビーム材１３は、鋼材１２ｃの低位側の端部に、ボルトとナットを用いて固定されている。
【００３２】
ブレース材１４，１５は、主にソーラーパネル取付架台１０の長手方向の揺れを抑制するものである。ブレース材１４は、ソーラーパネル取付架台１０の長手方向に並ぶ３つのパネル支持台１２のうち、中央のパネル支持台１２と一端側のパネル支持台１２の各鋼材１２ｂを連結するように取り付けられている。これに対して、ブレース材１５は、中央のパネル支持台１２と他端側のパネル支持台１２の各鋼材１２ｂを連結するように取り付けられている。これらのブレース材１４，１５は、ソーラーパネル取付架台１０を正面方向から見たときに、山形をなすように配置されている。すなわち、ブレース材１４は、中央のパネル支持台１２から一端側のパネル支持台１２に向かって低位となるように斜めに配置され、ブレース材１５は、中央のパネル支持台１２から他端側のパネル支持台１２に向かって低位となるように斜めに配置されている。各々のブレース材１４，１５は、たとえば、長尺状の鋼材（たとえば、Ｌ型鋼）を用いて構成することが可能である。各々のブレース材１４，１５の一端と他端は、たとえば、ボルトとナットを用いて、それぞれに対応するパネル支持台１２の鋼材１２ｂに固定されている。
【００３３】
一方、ブレース材１６は、主にソーラーパネル取付架台１０の短手方向の揺れを抑制するものである。ブレース材１６は、中央のパネル支持台１２を下側から支える２つの支持脚１１を連結するように取り付けられている。また、ブレース材１６は、パネル支持台１２の鋼材１２ｃと同じ方向に傾いた状態で配置されている。このため、ブレース材１６は、ソーラーパネル取付架台１０を正面方向から見たときに、奥側から手前側に向かって低位となるように斜めに配置される。ブレース材１６は、たとえば、上述したブレース材１４，１５と同様の鋼材（たとえば、Ｌ型鋼）を用いて構成することが可能である。ブレース材１６の一端と他端は、たとえば、ボルトとナットを用いて、それぞれに対応する支持脚１１に固定されている。
【００３４】
パネル受け材１７は、ソーラーパネルを受けて支持するものである。ソーラーパネルには、たとえば、アルミニウム等からなるフレーム材が設けられ、このフレーム材を、たとえばボルトとナットを用いてパネル受け材１７に固定可能となっている。パネル受け材１７は、たとえば、長尺状の鋼材（たとえば、リップ溝型鋼）を用いて構成することが可能である。
【００３５】
パネル受け材１７は、ソーラーパネル取付架台１０の長手方向に適度な間隔をあけて複数取り付けられている。パネル受け材１７は、２つのビーム材１３の間に掛け渡すように取り付けられている。パネル受け材１７は、水平面に対して斜めに傾斜している。パネル受け材１７の傾斜角度は、パネル支持台１２の鋼材１２ｃの傾斜角度と同じ角度になっている。パネル受け材１７の一端は、高位側に配置されたビーム材１３の上を乗り越えて斜め上方に突出している。パネル受け材１７の他端は、低位側に配置されたビーム材１３の上を乗り越えて斜め下方に突出している。このようにパネル受け材１７の両端を突出させておけば、１つのソーラーパネル取付架台１０に、より多くのソーラーパネルを取り付けることが可能となる。ソーラーパネル取付架台１０の長手方向で隣り合うパネル受け材１７の間隔は、ソーラーパネルのフレーム材に設けられた取付用の穴の間隔にあわせて設定されている。ちなみに、ソーラーパネルは、複数のパネル受け材１７を用いて格子状に配置（敷設）されるようになっている。
【００３６】
＜３．本発明の実施の形態に係る杭据え付け用の構造体の構成＞
図８は本発明の実施の形態に係る杭据え付け用の構造体の構成例を示す正面図であり、図９は同平面図、図１０は同側面図である。
図示した構造体２０は、ソーラーパネル取付架台１０を地上に設置するにあたって、ソーラーパネル取付架台１０の支持脚１１を構成する複数の杭１を据え付ける場合に用いられるものである。構造体２０は、大きくは、複数の下段横梁２１と、複数の支柱２２と、複数の上段横梁２３と、１つの縦梁２４と、を用いて構成されている。ここでは、一例として、３つの下段横梁２１と、６つの支柱２２と、３つの上段横梁２３と、１つの縦梁２４とを用いて、１つの構造体２０が構成されている。ただし、各々の部材の数や寸法、配置等は、支持すべき杭１の数や配置等に応じて適宜変更が可能である。
【００３７】
下段横梁２１は、たとえば、Ｉ型鋼を用いて構成することが可能である。下段横梁２１の長さ方向の両端部には、それぞれ板状の連結金具２５が設けられている。連結金具２５は、構造体２０に杭１を取り付けるときに、この杭１に対して着脱可能に連結されるものである。各々の連結金具２５は、下段横梁２１の下面に溶接等によって固定されている。連結金具２５の一部は、下段横梁２１からはみ出しており、このはみ出し部分に図１１に示すような切り欠き部２６が形成されている。図１１において、符号２１で示す破線部分は、下段横梁２１に対する連結金具２５の溶接箇所を示している。切り欠き部２６は、杭１に対して連結金具２５を着脱自在とするものである。各々の連結金具２５の切り欠き部２６は、縦梁２４の長さ方向において、すべて同じ方向（一方向）を向いて配置されている。切り欠き部２６の一方（開放側）は、杭１を切り欠き部２６の奥側に容易に導けるように拡開している。
【００３８】
また、連結金具２５には、２つの貫通穴２７が設けられている。これらの貫通穴２７は、切り欠き部２６を間に挟んで配置されている。各々の貫通穴２７は、連結金具２５に留め具２８を装着するための穴である。留め具２８としては、たとえば、カスガイ（略Ｕ字形に曲がった金属の棒状部材）を用いることができる。留め具２８は、連結金具２５の切り欠き部２６を杭１に嵌め込んだ状態で、２つの貫通穴２７に留め具２８の両端部を挿入することにより、杭１と連結金具２５の位置を相対的に固定するものである。
【００３９】
支柱２２は、たとえば、Ｈ型鋼を用いて構成することが可能である。支柱２２は、下段横梁２１の上に垂直に立てられている。支柱２２の数は、構造体２０で同時に支持する杭１の数と同数になっている。支柱２２の両端（上下端）は、それぞれに対応する下段横梁２１と上段横梁２３に、たとえば、ボルトとナットを用いて固定されている。
【００４０】
上段横梁２３は、たとえば、Ｈ型鋼を用いて構成されている。上段横梁２３は、下段横梁２１の直上に、下段横梁２１と平行に配置されている。上段横梁２３には、杭１の連結部４を取り付けるための穴が設けられている。また、上段横梁２３と支柱２２とが形成する各コーナー部分には、必要に応じて適宜、補強板３０が取り付けられている。
【００４１】
縦梁２４は、たとえば、Ｈ型鋼を用いて構成することが可能である。縦梁２４は、３つの上段横梁２３を連結するように取り付けられている。縦梁２４は、各々の上段横梁２３の上面に縦梁２４を載せた状態で、たとえば、ボルトとナットを用いて、各々の上段横梁２３に固定されている。縦梁２４の上面には２つの吊り金具２９が設けられている。これらの吊り金具２９は、縦梁２４の長さ方向に適度な距離を隔てて配置されている。
なお、図９において、上段横梁２３の両端に「×印」で示す交点の位置は、構造体２０に杭１を取り付けたときに、杭１の中心軸が配置される位置となる。
【００４２】
＜４．本発明の実施の形態に係るソーラーパネル取付架台の設置方法＞
続いて、本発明の実施の形態に係るソーラーパネル取付架台の設置方法について、図１２〜図２３を用いて説明する。
【００４３】
まず、上述したソーラーパネル取付架台１０を地上に設置するにあたって、設置場所の土（砂を含む）を掘る。なお、本書では、土を構成する粒子の大きさなどにかかわらず、広い意味で「土」という用語を使用している。ソーラーパネル取付架台１０の設置場所の土を掘る場合は、設置場所全体を一様な深さに掘ってもかまわない。ただし、ソーラーパネル取付架台１０が大型になると、それだけ土を掘る場所の面積が広くなる。このため、掘削工事に手間と時間がかかる。したがって、ソーラーパネル取付架台１０の設置場所の土を掘る場合は、その設置場所のうち、複数（本形態例では６つ）の杭１を据え付ける予定の場所だけに限定して土を掘ることが好ましい。本実施の形態では、この施工法を採用することとする。ただし、その場合は、設置場所の土質によっては、土を掘る過程で穴Ｈ（図１２を参照）の側壁が崩れやすくなる。このため、穴Ｈの崩れを枡形のブロックで防止しながら、杭１の据え付け予定場所を所望の深さまで掘ることが望ましい。掘削の深さは、ソーラーパネル取付架台１０の重量や大きさ、ソーラーパネルの重量、杭１の長さや張り出し部３の大きさ等にもよるが、たとえば、１ｍ〜３ｍの範囲内で適宜設定すればよい。
【００４４】
このように土を掘ることにより、ソーラーパネル取付架台１０の設置場所において、図１２に示すように、元（掘る前）の地面Ｇよりも深い位置に、杭１を据え付ける予定の据え付け予定面１９を形成する。この据え付け予定面１９は、土を掘った後の穴Ｈの底面に露出する。据え付け予定面１９は、据え付け予定の杭１の数と同数だけソーラーパネル取付架台１０の設置場所に形成する。また、各々の据え付け予定面１９は、共通の仮想水平面を基準にして、そこから同じ深さに位置するように、水平出しをすることが望ましい。
【００４５】
次に、上記構成の構造体２０を用いて、複数（本形態例では６つ）の杭１を相対的に位置合わせした状態で支持する。ここで記述する「相対的に位置合わせした状態」とは、複数の杭１があらかじめ規定されている（設計上決められている）位置関係となるように位置合わせした状態をいう。
複数の杭１を構造体２０で支持する場合は、構造体２０に対して各々の杭１を以下のように取り付ける。すなわち、杭１の杭本体２を連結金具２５の切り欠き部２６に嵌め込んだ状態で、杭１の連結部４を上段横梁２３の所定の位置にボルトとナットで固定する。その後、連結金具２５の貫通穴２７に上側から留め具２８を差し込む。これにより、構造体２０に対して複数の杭１が一体的に支持された状態になる。ここで記述する「一体的」とは、「構造体２０と複数の杭１とが動かないように」という意味である。
【００４６】
図１３は構造体２０に杭１を取り付けた状態を示す正面図であり、図１４は同側面図である。なお、構造体２０に杭１を取り付ける場合は、必要に応じて、複数の杭１が規定の位置関係になっているかどうかを確認し、その確認結果に基づいて杭１の取り付け位置を微調整してもよい。
【００４７】
次に、図１５に示すように、縦梁２４の２つの吊り金具２９にワイヤ４０を取り付け、このワイヤ４０をクレーンで引き上げることにより、上述の支持状態を維持しながら構造体２０と一体に複数の杭１を吊り上げる。次に、クレーンの移動や旋回により、先ほど吊り上げた構造体２０と複数の杭１をソーラーパネル取付架台１０の設置場所まで移送する。この設置場所においては、上記図１２に示すように、杭１の据え付け予定場所に形成してある据え付け予定面１９とこれに対応する杭１の位置を合わせた状態で、クレーンにより構造体２０と一緒に杭１を下ろすことにより、図１６に示すように、各々の杭１の下端（張り出し部３の下面３ｂ）を、それぞれに対応する据え付け予定面１９に接地させる。
【００４８】
次に、図１７および図１８に示すように、各々の杭１を据え付けた場所（本形態例では穴Ｈの中）に土を埋め戻す。これにより、杭１の張り出し部３の上に土が被せられるとともに、杭１の下端側が土の中に埋め込まれる。このとき、必要に応じて、埋め戻した土を締め固める。土の埋め戻し作業は、複数の杭１を構造体２０で支持したまま行う。その理由は、土を埋め戻すときに少々の力が杭１に加わっても、複数の杭１の相対的な位置関係がそのまま維持されるからである。
以上で、ソーラーパネル取付架台１０の設置場所に複数の杭１が据え付けられる。
【００４９】
なお、埋め戻しに使用する土は、据え付け予定面１９を形成するために掘った土をそのまま利用すればよい。ただし、埋め戻しに使用する土は、必ずしも元の土でなくてもかまわない。
【００５０】
次に、複数の杭１から構造体２０を取り去る。具体的には、各々の杭１の連結部４を上段横梁２３に固定しているボルトとナットを取り外す。また、各々の連結金具２５から留め具２８を取り外す。次に、連結金具２５の切り欠き部２６が開放している側と反対側に構造体２０全体を水平に移動させる。これにより、各々の杭１から構造体２０が分離する。構造体２０の移動はクレーンで行う。その後、構造体２０をクレーンで吊り上げて、ソーラーパネル取付架台１０の設置場所から離れた場所に移送する。これにより、ソーラーパネル取付架台１０の設置場所には、図１９に示すように、複数（本形態例では６つ）の杭１が垂直（鉛直）に起立して据え付けられた状態になる。このとき、すべての杭１の長さが同じであれば、各々の杭１の連結部４が同一の仮想平面内に配置される。こうして据え付けられた杭１は、ソーラーパネル取付架台１０の支持脚１１となる。
【００５１】
次に、複数の杭１を用いて、ソーラーパネル取付架台１０の骨組みとなる部材を組み付ける。部材の組み付け作業は、以下のように行う。
まず、図２０に示すように、杭１にパネル支持台１２を取り付ける。このとき、ソーラーパネル取付架台１０の短手方向で隣り合う２つの杭１に対して、１つのパネル支持台１２を取り付ける。パネル支持台１２の鋼材１２ａの下面にはあらかじめ２つの取付板１８を設けてあるため、各々の取付板１８を各杭１の連結部４の上に重ねるようにして、２つの杭１の上にパネル支持台１２を載せる。その際、連結部４と取付板１８の穴位置を合わせ、そこにボルトを差し込み、ナットで締め付ける。これにより、２つの杭１の上に１つのパネル支持台１２が固定される。このような取り付け作業を３つのパネル支持台１２について同様に行う。
【００５２】
次に、図２１に示すように、パネル支持台１２の上にビーム材１３を取り付ける。ビーム材１３は、ソーラーパネル取付架台１０の長手方向に並ぶ３つのパネル支持台１２の上に、たとえば、ボルトとナットを用いて取り付ける。この取り付けに用いる穴は、あらかじめパネル支持台１２とビーム材１３に設けられている。ビーム材１３は、パネル支持台１２の斜辺を構成する鋼材１２ｃの高位側と低位側に１つずつ取り付ける。
【００５３】
次に、図２２に示すように、ブレース材１４，１５，１６を取り付ける。このとき、２つのブレース材１４，１５は、ソーラーパネル取付架台１０の長手方向の中央に配置されたパネル支持台１２から、その両側に配置されたパネル支持台１２に向けて、山形をなすように斜めに取り付ける。また、ブレース材１６は、ソーラーパネル取付架台１０の長手方向の中央に配置された２つの杭１（杭本体２）を連結するように取り付ける。ブレース材１６は、パネル支持台１２の斜辺を構成する鋼材１２ｃと同じ方向に傾けた状態で取り付ける。各ブレース材１４，１５，１６の取り付けは、たとえば、ボルトとナットを用いて行う。取り付けに用いる穴は、あらかじめパネル支持台１２と杭１に設けられている。
なお、ブレース材１４，１５の取り付けは、パネル支持台１２の取り付けを終えた後であれば、いずれの段階で行ってもよい。同様に、ブレース材１６の取り付けは、杭１の据え付けを終えた後であれば、いずれの段階で行ってもよい。
【００５４】
次に、図２３に示すように、ビーム材１３の上にパネル受け材１７を取り付ける。パネル受け材１７は、２つのビーム材１３の間に掛け渡すように取り付ける。また、パネル受け材１７は、ソーラーパネル取付架台１０の長手方向に所定の間隔をあけて複数取り付ける。パネル受け材１７の取り付けは、たとえば、ボルトとナットを用いて行う。取り付けに用いる穴は、あらかじめビーム材１３とパネル受け材１７に設けられている。
【００５５】
以上でソーラーパネル取付架台１０の設置が完了する。その後は、図２４の正面図および図２５の側面図に示すように、ソーラーパネル取付架台１０に複数枚のソーラーパネル３１を取り付けることになる。なお、図２４においては、構造体２０の各構成部材とソーラーパネル３１との位置関係が分かるように、ソーラーパネル３１の部分を透かして表記している。
【００５６】
図２６は各々の部材をボルトとナットで固定する場合の具体的な構造例を示す図である。図２６（Ａ），（Ｂ）においては、パネル支持台１２とビーム材１３を、ボルト３２とナット３３で固定する一方、ビーム材１３とパネル受け材１７を、ボルト３４とナット３５で固定している。そして、パネル受け材１７に対してソーラーパネルのフレーム材３１ａを、ボルト３６とナット３７で固定している。一方、図２６（Ｃ）においては、パネル支持台１２とブレース材１４（１５）を、ボルト３８とナット３９で固定し、図２６（Ｄ）においては、支持脚１１となる杭１とブレース材１６を、ボルト４０とナット４１で固定している。なお、部材同士の固定は、ボルトとナットを用いた固定構造に限らず、たとえば、図示はしないが固定金具を用いた固定構造や、溶接などの固定手段を採用することも可能である。ただし、施工コストや材料コストを考慮すると、ボルトとナットを用いた固定構造を採用するほうが好ましい。
【００５７】
＜５．本発明の実施の形態の効果＞
本発明の実施の形態においては、従来から常識的であった「杭打ち」という手法ではなく、杭本体２の下端に張り出し部３を有する杭１を用いて、「置き杭」という独自の手法により地面に据え付けるタイプの杭１を採用している。また、そのタイプであっても、張り出し部３を含む杭１の下端側を土の中に埋め込むことにより、杭１の据え付け強度を確保している。これにより、面倒な「杭打ち」の作業が不要になる。また、「杭打ち」が困難な場所でも、高価なスパイラル杭を使用することなく、ソーラーパネル取付架台１０を設置することが可能になる。これにより、ソーラーパネル取付架台の設置にかかるコストや労力を大幅に低減することができる。その結果、太陽光発電の普及、ひいては自然エネルギーの利用促進に大きく貢献することができる。
【００５８】
また、ソーラーパネル取付架台１０の支持脚１１として、張り出し部３を備える杭１を用いることにより、ソーラーパネル取付架台１０やソーラーパネル３１の重量による押し込み力と、その反対の引き込み力の両方に対して十分な抵抗力を持たせることができる。特に、ソーラーパネル取付架台１０の場合は、台風などの影響でソーラーパネル３１が強い風圧（揚力）を受けたときでも、これに対抗するだけの十分な据え付け強度を確保することが重要になる。この点、打ち込みタイプの杭では、地盤の状況等によっては打ち込みが困難であるうえに、打ち込んだ後の引き抜きは比較的容易であるため、強風による風圧に対して十分な据え付け強度を確保することが難しい。一方、本実施の形態に係る杭１を用いてソーラーパネル取付架台１０を構成した場合は、上述したとおり押し込み力と引き込み力の両方に対して十分な抵抗力を持たせることができるため、特に、強風による風圧に対して高い据え付け強度を確保することが可能である。
【００５９】
参考までに、本実施の形態の方法で据え付けた杭１を対象に引張試験を実施したところ、予想以上に良好な結果が得られた。
引張試験では、杭１の杭本体２を直径５０ｍｍの鋼管で構成し、張り出し部３を５００ｍｍの正方形の鋼板で構成した。また、杭本体２の下端側を約１．８ｍの深さで土の中に埋め込み、２０ｋＮの引き抜き力で杭１を垂直に引っ張った。そうしたところ、杭１の変位量（上昇量）は、わずか１４ｍｍであった。これは、１つの杭１で得られた試験結果である。このため、上述のように６つの杭１を支持脚１１に用いてソーラーパネル取付架台１０を構成した場合は、トータルで少なくとも１２０ｋＮの引き抜き力に耐えられることになる。
【００６０】
また、本発明の実施の形態においては、ソーラーパネル取付架台の設置場所が起伏のある土地であっても、杭１の据え付けを問題なく行うことができる。以下、詳しく説明する。
ソーラーパネル取付架台の設置場所は、必ずしも平坦な土地であるとは限らない。特に、メガソーラーなどの大規模な太陽光発電所は、多数のソーラーパネルを敷設するために広い用地が必要になる。しかし、そのような広い用地を平坦な土地で確保することが困難な場合がある。また、起伏のある土地を平坦に均すとなると、大規模な造成工事になり、多大な費用と手間がかかる。
【００６１】
また仮に、起伏のある土地に「杭打ち」によって杭を据え付ける場合は、次のような不具合が生じることが懸念される。たとえば、打ち込みタイプの杭の場合は、図２７に示すように、段差のある場所に、長さが同じ複数の杭５１を、上端の高さを揃えて打ち込む場合は、低所に比べて高所の方が、杭５１の打ち込み深さを深くする必要がある。このため、杭の抜け止めに必要な打ち込み深さＤ１を低所で確保した場合、高所ではそれよりも深いＤ１＋Ｄ２の深さで杭５１を打ち込む必要がある。しかし、杭を打ち込みにくい土地では、仮に低所においては所望Ｄ１の深さで杭５１を打ち込めたとしても、高所においては所望の深さＤ１＋Ｄ２で杭５１を打ち込めない場合がある。その結果、各々の杭５１の上端の高さに寸法Ｄ２相当のずれが生じてしまう。
【００６２】
これに対して、本実施の形態によれば、設置場所の土を掘って杭１を据え付けるため、起伏のある土地であっても、図２８に示すように、高所と低所で掘削（穴）の深さＤ４，Ｄ５を変えるだけで、各々の杭１を、上端の高さを揃えて据え付けることができる。このため、土地を平坦に均す必要がない。したがって、ソーラーパネル取付架台の設置にかかるトータルコスト、特に、起伏のある土地、あるいは傾斜地などにソーラーパネル取付架台を設置する場合のトータルコストを格段に低く抑えることができる。また、起伏のある土地に関しては、１ｍ程度の起伏に対しても十分に対応することができる。
【００６３】
また、本発明の実施の形態においては、複数の杭１を構造体２０で支持し、この支持状態を維持したまま、各々の杭１を据え付け予定面１９に接地させて、土の埋め戻しにより各々の杭１を固定している。このため、ソーラーパネル取付架台１０の設置場所に複数の杭１を非常に精度良く据え付けることができる。これに比べて、たとえば、打ち込みタイプの杭を用いる場合は、各々の杭を１本ずつ打ち込むことになる。その場合、所望の位置に、所望の打ち込み深さで、精度良く杭を打ち込むことは非常に困難である。このため、複数の杭の相対位置にずれが生じやすくなる。したがって、複数の杭の上に、ソーラーパネル取付架台の骨組みとなる部材を取り付ける段階になって、部材同士の穴位置が大きくずれてしまい、部材の取り付けができなくなるおそれがある。また、仮にすべての部材を取り付けられたとしても、ソーラーパネル取付架台全体に歪みが生じてしまう。
【００６４】
一方、本発明の実施の形態に係るソーラーパネル取付架台の設置方法を採用すれば、構造体２０を用いて複数の杭１の相対的な位置関係を維持しながら、土の埋め戻しによって各々の杭１を固定するため、複数の杭１を精度良く据え付けることができる。このため、取付架台全体に歪みを生じさせることなく、すべての部材を規定通りに取り付けることができる。また、ソーラーパネル取付架台１０の設置場所に複数の杭１を同時に据え付けることができるため、施工効率も格段に高まる。その結果、設置コストの削減と杭据え付け精度の向上を同時に実現することが可能となる。
【００６５】
また、本発明の実施の形態に係るソーラーパネル取付架台の設置方法においては、複数の杭１を支持する構造体２０をクレーンで吊り上げてソーラーパネル取付架台１０の設置場所まで移送するため、移送中に各々の杭１に余計な力が加わらない。このため、移送中に複数の杭１の相対位置にずれが生じることが皆無となる。また、クレーンで吊り上げた状態（杭が浮いた状態）では、それほど大きな力を加えなくても、複数の杭１の相対位置を維持しながら、杭全体の位置を水平方向に動かすことができる。このため、各々の杭１の張り出し部３を、それぞれに対応する据え付け予定面１９に容易に位置合わせすることができる。
【００６６】
＜６．変形例等＞
なお、本発明の技術的範囲は上述した実施の形態に限定されるものではなく、発明の構成要件やその組み合わせによって得られる特定の効果を導き出せる範囲において、種々の変更や改良を加えた形態も含む。
【００６７】
たとえば、上記実施の形態においては、杭本体２の断面形状を円形としているが、本発明はこれに限らず、杭本体の断面形状は四角形等の角柱状としてもよい。
【００６８】
また、張り出し部３の平面形状は、正方形やこれを含む他の四角形に限らず、埋め戻した土の重量を面で受け得るものであればよく、たとえば、多角形でも、円形でも、楕円形でも、花びら状でも、十字形でもよい。また、張り出し部３は、杭本体２の下端の他に、最終的に土に埋められる杭本体２の下端側に、杭本体２の長さ方向に位置をずらして二重、三重等に設けてもよい。
【００６９】
また、張り出し部３は、簡易な構成で土の重量を効率良く受けるためには平らな板状に形成することが好ましいものの、必ずしも平板状に限定されるものではない。たとえば、図示はしないが、張り出し部３の外周縁の一部または全部に、上向きに折り曲げた形状としてもよい。また、張り出し部３を板状に形成する場合は、杭本体２の中心軸に対して、張り出し部３を直角に配置する以外に、張り出し部３を少し傾けた状態（好ましくは、０度超、３０度以下の傾斜角度）で配置してもよい。ただし、本発明に係る杭は、地面に打ち込んだりねじ込んだりするものではないため、スパイラル状に形成するものは除外する。
【００７０】
また、ソーラーパネル取付架台１０の支持脚１１（杭１）の上に組み付けられる骨組みの部材は、上述した部材に限らず、ソーラーパネルを取り付け可能な部材であればよい。さらに、その場合、杭本体２の上端に設けられる連結部４の形状等は、そこに取り付けられる部材に応じて適宜変更可能であり、また連結部４を設けることなく、別途、組み付け用の金具等を用いて、杭本体２に骨組み部材を取り付けることも可能である。このため、連結部４は、必要に応じて設けるようにすればよい。
【００７１】
ただし、杭本体２の上端に連結部４を一体に設け、この連結部４の上に、三角形のパネル支持台１２を載せて固定する構成を採用すれば、パネル受け材１７を斜めに取り付けるための施工の手間が少ないうえに、取付架台全体の機械的な強度（剛性等）を向上させることができる。このため、施工コストや材料費を極力削減し、ソーラーパネル取付架台１０の設置にかかるトータルコストを低減することができる。
【００７２】
また、パネル受け材１７をリップ溝型鋼によって構成しているため、実際に使用するリップ溝型鋼の寸法（主に長さ）や穴位置、本数などを変更することにより、異なるメーカーのソーラーパネルを取り付けたり、同じメーカーのソーラーパネルでも取り付け枚数を変更したりすることが可能となる。
【００７３】
また、ソーラーパネル取付架台の構成材料は、鉄鋼に限らず、ソーラーパネル取付架台に求められる機械的強度、耐久性、耐候性などを満たす材料であれば、他の材料、たとえば、ステンレス、アルミニウムなどの他の金属（合金を含む）であってもよいし、強化プラスチックなどのプラスチック材料などであってもよい。
【００７４】
＜７．本発明の他の好ましい態様＞
本発明に係る杭は、ソーラーパネル取付架台の支持脚として用いて好適なものであるが、これ以外の用途にも広く利用可能なものである。たとえば、本発明に係る杭は、地面に看板や標識などを設置する場合にも利用可能である。その場合の本発明の好ましい態様を以下に付記する。
【００７５】
（付記）
少なくとも下端側が土の中に埋められる柱状の杭本体と、
前記杭本体の下端に当該杭本体の径方向に張り出した状態で設けられ、前記杭本体の下端側を土の中に埋めたときに当該土の重量を受けて前記杭本体の引き抜きを抑制する非スパイラル形状の張り出し部と、
を備えることを特徴とする杭。
【符号の説明】
【００７６】
１…杭
２…杭本体
３…張り出し部
４…連結部
１０…ソーラーパネル取付架台
１１…支持脚
１２…パネル支持台
１３…ビーム材
１４，１５，１６…ブレース材
１７…パネル受け材
２０…構造体
３１…ソーラーパネル
【図１】
0005592514.tif 000002
【図２】
0005592514.tif 000003
【図３】
0005592514.tif 000004
【図４】
0005592514.tif 000005
【図５】
0005592514.tif 000006
【図６】
0005592514.tif 000007
【図７】
0005592514.tif 000008
【図８】
0005592514.tif 000009
【図９】
0005592514.tif 000010
【図１０】
0005592514.tif 000011
【図１１】
0005592514.tif 000012
【図１２】
0005592514.tif 000013
【図１３】
0005592514.tif 000014
【図１４】
0005592514.tif 000015
【図１６】
0005592514.tif 000016
【図１７】
0005592514.tif 000017
【図２４】
0005592514.tif 000018
【図２５】
0005592514.tif 000019
【図２６】
0005592514.tif 000020
【図２７】
0005592514.tif 000021
【図２８】
0005592514.tif 000022
【図１５】
0005592514.tif 000023
【図１８】
0005592514.tif 000024
【図１９】
0005592514.tif 000025
【図２０】
0005592514.tif 000026
【図２１】
0005592514.tif 000027
【図２２】
0005592514.tif 000028
【図２３】
0005592514.tif 000029